(57)【要約】      （修正有）【課題】計測用ターゲットをアンカーボルトの軸中心線に配置できる計測用治具を提供する。【解決手段】アンカーボルトに螺着されて、アンカーボルトと同心に配置されるガイド筒部材と、ガイド筒部材の筒端面に固定される基礎平板と、基礎平板に固定され、金属板表平面１４Ａに中心印１５を設けた金属平板１４と、ターゲット板表平面に計測用ターゲット１９を設けたターゲット平板１７、及びターゲット平板のターゲット板裏平面に固定される永久磁石平板を備える。ターゲット平板１７は、正方形の一の角１７ａを金属平板１４の中心印１５に位置して、永久磁石平板の磁気力によって金属平板に着脱自在に固定される。【選択図】図１５
0003219614.tif 000002
【実用新案登録請求の範囲】
【請求項１】
コンクリート構造体に固定され、前記コンクリート構造体からネジ先端部を突出して配置されるアンカーボルトの位置及び傾きを検査するために用いる計測用治具であって、
円筒状に形成され、一方の筒端面に開口して筒中心線と同心に形成されるネジ穴を有し、前記ネジ先端部を一方の筒端面から前記ネジ穴に螺着して前記アンカーボルトに取付けられ、前記アンカーボルトと同心に配置されるガイド筒部材と、
基礎平板、及び金属板表平面に中心印を設けた強磁性体の金属平板を有し、前記金属平板の金属板裏平面を前記基礎平板の板表平面に固定して、二層板にされたターゲット保持板体と、
正方形に形成され、ターゲット板表平面に計測用ターゲットを設けたターゲット平板、及び永久磁石平板を有し、前記永久磁石平板の磁着表平面を前記ターゲット平板のターゲット板裏平面に固定して、正方形の二層板にされたターゲット板体と、を備え、
前記ターゲット保持板体は、
前記金属平板の中心印を前記ガイド筒部材の筒中心線に一致して配置され、
前記基礎平板の板裏平面及び前記金属平板の金属板表平面を前記ガイド筒部材の筒中心線と直交して配置され、
前記基礎平板の板裏平面を前記ガイド筒部材の他方の筒端面に固定して配置され、
前記ターゲット板体は、
前記永久磁石平板の磁着裏平面を前記金属平板の金属板表平面に当接して配置され、及び前記永久磁石平板の磁気力によって、前記金属平板に着脱自在に固定される
ことを特徴とする計測用治具。
【請求項２】
前記基礎平板は、
正方形に形成され、
前記金属平板は、
前記基礎平板と同一正方形に形成され、前記金属板表平面に金属板中心を示す中心印を有し、
前記ターゲット保持板体は、
前記金属平板の金属板表平面を前記基礎平板の板表平面に固定して、正方形の二層板にされ、
前記ターゲット平板は、
前記基礎平板と略同一の正方形に形成され、
前記ターゲット板体は、
前記永久磁石平板の磁着裏平面を前記ターゲット平板のターゲット板裏平面に固定して、前記ターゲット保持板体と略同一の正方形の二層板にされる
ことを特徴とする請求項１に記載の計測用治具。
【請求項３】
前記基礎平板の第１板端面の一部に配置される第１ガイド平板と、
前記第１板端面と直交する一方の第２板端面の一部に配置される第２ガイド平板と、を備え、
前記第１ガイド平板は、
第１ガイド板表平面を前記金属平板の金属板表平面と直交して配置され、
前記第１ガイド板表平面を前記金属平板の金属板表平面から突出して配置され、
前記第１ガイド板表平面を前記第１板端面に当接して、前記基礎平板に固定され、
第２ガイド平板は、
第２ガイド板表平面を前記金属平板の金属板表平面と直交して配置され、
前記第２ガイド板表平面を前記金属平板の金属板表平面から突出して配置され、
前記第２ガイド板表平面を前記第２板端面に当接して、前記基礎平板に固定される
ことを特徴とする請求項２に記載の計測用治具。
【請求項４】
前記基礎平板の前記第１板端面と平行する第３板端面の一部に配置される第３ガイド平板と、
前記第１板端面と直交する他方の第４板端面の一部に配置される第４ガイド平板と、を備え、
前記第３ガイド平板は、
第３ガイド板表平面を前記金属平板の金属板表平面と直交して配置され、
前記第３ガイド板表平面を前記金属平板の金属板表平面から突出して配置され、
前記第３ガイド板表平面を前記第３板端面に当接して、前記基礎平板に固定され、
前記第４ガイド平板は、
第４ガイド板表平面を前記金属平板の金属板表平面と直交して配置され、
前記第４ガイド板表平面を前記金属平板の金属板表平面から突出して配置され、
前記第４ガイド板表平面を前記第４板端面に当接して、前記基礎平板に固定される
ことを特徴とする請求項３に記載の計測用治具。
【請求項５】
前記第１及び第２ガイド平板は、
前記基礎平板の前記第１及び第２板端面の直交する第１角で隣接して配置され、
前記第１ガイド平板は、
前記第１及び第３板端面に直交して前記基礎平板の板中心を通る第１直線において、前記第１ガイド板表平面を前記第１直線及び前記第１角の間で延在して配置され、
前記第２ガイド平板は、
前記第２及び第４板端面と直交して前記基礎平板の板中心を通る第２直線において、前記第２ガイド板表平面を前記第２直線及び前記第１角の間で延在して配置され、
前記第３及び第４ガイド平板は、
前記基礎平板の前記第３及び第４板端面の直交する第２角で隣接して配置され、
前記第３ガイド平板は、
前記第３ガイド板表平面を前記第１直線、及び前記第２角の間で延在して配置され、
前記第４ガイド平板は、
前記第４ガイド板表平面を前記第２直線、及び前記第２角の間で延在して配置される
ことを特徴とする請求項４に記載の計測用治具。
【請求項６】
コンクリート構造体にアンカーボルトを固定する際に、前記コンクリート構造体に形成され、前記アンカーボルトが挿入される削穴の位置及び傾きを検査するために用いる計測用治具であって、
円筒状に形成され、一方の筒端面から前記削穴に挿入されて、前記削穴と同心に配置されるガイド筒部材と、
基礎平板、及び金属板表平面に中心印を設けた強磁性体の金属平板を有し、前記金属平板の金属板裏平面を前記基礎平板の板表平面に固定して、二層板にされたターゲット保持板体と、
正方形に形成され、ターゲット板表平面に計測用ターゲットを設けたターゲット平板、及び永久磁石平板を有し、前記永久磁石平板の磁着表平面を前記ターゲット平板のターゲット板裏平面に固定して、正方形の二層板にされたターゲット板体と、を備え、
前記ターゲット保持板体は、
前記金属平板の中心印を前記ガイド筒部材の筒中心線に一致して配置され、
前記基礎平板の板裏平面及び前記金属平板の金属板表平面を前記ガイド筒部材の筒中心線と直交して配置され、
前記基礎平板の板裏平面を前記ガイド筒部材の他方の筒端面に固定して配置され、
前記ターゲット板体は、
前記永久磁石平板の磁着裏平面を前記金属平板の金属板表平面に当接して配置され、及び前記永久磁石平板の磁気力によって、前記金属平板に着脱自在に固定される
ことを特徴とする計測用治具。
【請求項７】
前記基礎平板は、
正方形に形成され、
前記金属平板は、
前記基礎平板と同一正方形に形成され、前記金属板表平面に金属板中心を示す中心印を有し、
前記ターゲット保持板体は、
前記金属平板の金属板表平面を前記基礎平板の板表平面に固定して、正方形の二層板にされ、
前記ターゲット平板は、
前記基礎平板と略同一の正方形に形成され、
前記ターゲット板体は、
前記永久磁石平板の磁着裏平面を前記ターゲット平板のターゲット板裏平面に固定して、前記ターゲット保持板体と略同一の正方形の二層板にされる
ことを特徴とする請求項６に記載の計測用治具。
【請求項８】
前記基礎平板の第１板端面の一部に配置される第１ガイド平板と、
前記第１板端面と直交する一方の第２板端面の一部に配置される第２ガイド平板と、を備え、
前記第１ガイド平板は、
第１ガイド板表平面を前記金属平板の金属板表平面と直交して配置され、
前記第１ガイド板表平面を前記金属平板の金属板表平面から突出して配置され、
前記第１ガイド板表平面を前記第１板端面に当接して、前記基礎平板に固定され、
第２ガイド平板は、
第２ガイド板表平面を前記金属平板の金属板表平面と直交して配置され、
前記第２ガイド板表平面を前記金属平板の金属板表平面から突出して配置され、
前記第２ガイド板表平面を前記第２板端面に当接して、前記基礎平板に固定される
ことを特徴とする請求項７に記載の計測用治具。
【請求項９】
前記基礎平板の前記第１板端面と平行する第３板端面の一部に配置される第３ガイド平板と、
前記第１板端面と直交する他方の第４板端面の一部に配置される第４ガイド平板と、を備え、
前記第３ガイド平板は、
第３ガイド板表平面を前記金属平板の金属板表平面と直交して配置され、
前記第３ガイド板表平面を前記金属平板の金属板表平面から突出して配置され、
前記第３ガイド板表平面を前記第３板端面に当接して、前記基礎平板に固定され、
前記第４ガイド平板は、
第４ガイド板表平面を前記金属平板の金属板表平面と直交して配置され、
前記第４ガイド板表平面を前記金属平板の金属板表平面から突出して配置され、
前記第４ガイド板表平面を前記第４板端面に当接して、前記基礎平板に固定される
ことを特徴とする請求項８に記載の計測用治具。
【請求項１０】
前記第１及び第２ガイド平板は、
前記基礎平板の前記第１及び第２板端面の直交する第１角で隣接して配置され、
前記第１ガイド平板は、
前記第１及び第３板端面に直交して前記基礎平板の板中心を通る第１直線において、前記第１ガイド板表平面を前記第１直線及び前記第１角の間で延在して配置され、
前記第２ガイド平板は、
前記第２及び第４板端面と直交して前記基礎平板の板中心を通る第２直線において、前記第２ガイド板表平面を前記第２直線及び前記第１角の間で延在して配置され、
前記第３及び第４ガイド平板は、
前記基礎平板の前記第３及び第４板端面の直交する第２角で隣接して配置され、
前記第３ガイド平板は、
前記第３ガイド板表平面を前記第１直線、及び前記第２角の間で延在して配置され、
前記第４ガイド平板は、
前記第４ガイド板表平面を前記第２直線、及び前記第２角の間で延在して配置される
ことを特徴とする請求項９に記載の計測用治具。
【考案の詳細な説明】
【技術分野】
【０００１】
本考案は、橋台や橋脚等のコンクリート構造体に固定されたアンカーボルトの位置及び傾きを検査するために用いられる計測用治具に関する。
本考案は、橋台や橋脚等のコンクリート構造体にアンカーボルトを固定する際に、コンクリート構造体に形成される削穴の位置及び傾きを検査するために用いられる計測用治具に関する。
【背景技術】
【０００２】
一般的に、橋台や橋脚等のコンクリート構造体に固定されたアンカーボルトの位置及び傾きを検査するために計測用ターゲットが用いられる。
【０００３】
計測用ターゲットとして、特許文献１は計測用ターゲットを開示する。計測用ターゲットは、正方形に形成され、枠内に複数の識別構成点、枠の隅に基準構成点を備える。
コンクリート構造体において、計測用ターゲットは、複数のアンカーボルトの先端面に貼付けられる。計測用ターゲットを各アンカーボルトに貼付けると、デジタルカメラ等にて各アンカーボルトの計測用ターゲットを撮影し、撮影した計測用ターゲットの画像データから各アンカーボルトの位置及び傾きを検査（解析）する。
【先行技術文献】
【特許文献】
【０００４】
【特許文献１】特開２０１５−７５３８９号
【考案の概要】
【考案が解決しようとする課題】
【０００５】
しかしながら、計測用ターゲットをアンカーボルトに貼付けすると、計測用ターゲットをアンカーボルトの軸中心線に配置することが難しく、アンカーボルトの位置及び傾きを精度良く検査できない虞がある。
【０００６】
本考案は、計測用ターゲットをアンカーボルトの軸中心線、又は削穴の穴中心線に配置できる計測用治具を提供することにある。
【課題を解決するための手段】
【０００７】
本考案に係る請求項１は、コンクリート構造体に固定され、前記コンクリート構造体からネジ先端部を突出して配置されるアンカーボルトの位置及び傾きを検査するために用いる計測用治具であって、円筒状に形成され、一方の筒端面に開口して筒中心線と同心に形成されるネジ穴を有し、前記ネジ先端部を一方の筒端面から前記ネジ穴に螺着して前記アンカーボルトに取付けられ、前記アンカーボルトと同心に配置されるガイド筒部材と、基礎平板、及び金属板表平面に中心印を設けた強磁性体の金属平板を有し、前記金属平板の金属板裏平面を前記基礎平板の板表平面に固定して、二層板にされたターゲット保持板体と、正方形に形成され、ターゲット板表平面に計測用ターゲットを設けたターゲット平板、及び永久磁石平板を有し、前記永久磁石平板の磁着表平面を前記ターゲット平板のターゲット板裏平面に固定して、正方形の二層板にされたターゲット板体と、を備え、前記ターゲット保持板体は、前記金属平板の中心印を前記ガイド筒部材の筒中心線に一致して配置され、前記基礎平板の板裏平面及び前記金属平板の金属板表平面を前記ガイド筒部材の筒中心線と直交して配置され、前記基礎平板の板裏平面を前記ガイド筒部材の他方の筒端面に固定して配置され、前記ターゲット板体は、前記永久磁石平板の磁着裏平面を前記金属平板の金属板表平面に当接して配置され、及び前記永久磁石平板の磁気力によって、前記金属平板に着脱自在に固定されることを特徴とする計測用治具である。
【０００８】
本考案に係る請求項２は、前記基礎平板は、正方形に形成され、前記金属平板は、前記基礎平板と同一正方形に形成され、前記金属板表平面に金属板中心を示す中心印を有し、前記ターゲット保持板体は、前記金属平板の金属板表平面を前記基礎平板の板表平面に固定して、正方形の二層板にされ、前記ターゲット平板は、前記基礎平板と略同一の正方形に形成され、前記ターゲット板体は、前記永久磁石平板の磁着裏平面を前記ターゲット平板のターゲット板裏平面に固定して、前記ターゲット保持板体と略同一の正方形の二層板にされる  ことを特徴とする請求項１に記載の計測用治具である。
【０００９】
本考案に係る請求項３は、前記基礎平板の第１板端面の一部に配置される第１ガイド平板と、前記第１板端面と直交する一方の第２板端面の一部に配置される第２ガイド平板と、を備え、前記第１ガイド平板は、第１ガイド板表平面を前記金属平板の金属板表平面と直交して配置され、前記第１ガイド板表平面を前記金属平板の金属板表平面から突出して配置され、前記第１ガイド板表平面を前記第１板端面に当接して、前記基礎平板に固定され、第２ガイド平板は、第２ガイド板表平面を前記金属平板の金属板表平面と直交して配置され、前記第２ガイド板表平面を前記金属平板の金属板表平面から突出して配置され、前記第２ガイド板表平面を前記第２板端面に当接して、前記基礎平板に固定されることを特徴とする請求項２に記載の計測用治具である。
【００１０】
本考案に係る請求項４は、前記基礎平板の前記第１板端面と平行する第３板端面の一部に配置される第３ガイド平板と、前記第１板端面と直交する他方の第４板端面の一部に配置される第４ガイド平板と、を備え、前記第３ガイド平板は、第３ガイド板表平面を前記金属平板の金属板表平面と直交して配置され、前記第３ガイド板表平面を前記金属平板の金属板表平面から突出して配置され、前記第３ガイド板表平面を前記第３板端面に当接して、前記基礎平板に固定され、前記第４ガイド平板は、第４ガイド板表平面を前記金属平板の金属板表平面と直交して配置され、前記第４ガイド板表平面を前記金属平板の金属板表平面から突出して配置され、前記第４ガイド板表平面を前記第４板端面に当接して、前記基礎平板に固定されることを特徴とする請求項３に記載の計測用治具である。
【００１１】
本考案に係る請求項５は、前記第１及び第２ガイド平板は、前記基礎平板の前記第１及び第２板端面の直交する第１角で隣接して配置され、前記第１ガイド平板は、前記第１及び第３板端面に直交して前記基礎平板の板中心を通る第１直線において、前記第１ガイド板表平面を前記第１直線及び前記第１角の間で延在して配置され、前記第２ガイド平板は、前記第２及び第４板端面と直交して前記基礎平板の板中心を通る第２直線において、前記第２ガイド板表平面を前記第２直線及び前記第１角の間で延在して配置され、前記第３及び第４ガイド平板は、前記基礎平板の前記第３及び第４板端面の直交する第２角で隣接して配置され、前記第３ガイド平板は、前記第３ガイド板表平面を前記第１直線、及び前記第２角の間で延在して配置され、前記第４ガイド平板は、前記第４ガイド板表平面を前記第２直線、及び前記第２角の間で延在して配置されることを特徴とする請求項４に記載の計測用治具である。
【００１２】
本考案に係る請求項６は、コンクリート構造体にアンカーボルトを固定する際に、前記コンクリート構造体に形成され、前記アンカーボルトが挿入される削穴の位置及び傾きを検査するために用いる計測用治具であって、円筒状に形成され、一方の筒端面から前記削穴に挿入されて、前記削穴と同心に配置されるガイド筒部材と、基礎平板、及び金属板表平面に中心印を設けた強磁性体の金属平板を有し、前記金属平板の金属板裏平面を前記基礎平板の板表平面に固定して、二層板にされたターゲット保持板体と、正方形に形成され、ターゲット板表平面に計測用ターゲットを設けたターゲット平板、及び永久磁石平板を有し、前記永久磁石平板の磁着表平面を前記ターゲット平板のターゲット板裏平面に固定して、正方形の二層板にされたターゲット板体と、を備え、前記ターゲット保持板体は、前記金属平板の中心印を前記ガイド筒部材の筒中心線に一致して配置され、前記基礎平板の板裏平面及び前記金属平板の金属板表平面を前記ガイド筒部材の筒中心線と直交して配置され、前記基礎平板の板裏平面を前記ガイド筒部材の他方の筒端面に固定して配置され、前記ターゲット板体は、前記永久磁石平板の磁着裏平面を前記金属平板の金属板表平面に当接して配置され、及び前記永久磁石平板の磁気力によって、前記金属平板に着脱自在に固定されることを特徴とする計測用治具である。
【００１３】
本考案に係る請求項７は、前記基礎平板は、正方形に形成され、前記金属平板は、前記基礎平板と同一正方形に形成され、前記金属板表平面に金属板中心を示す中心印を有し、前記ターゲット保持板体は、前記金属平板の金属板表平面を前記基礎平板の板表平面に固定して、正方形の二層板にされ、前記ターゲット平板は、前記基礎平板と略同一の正方形に形成され、前記ターゲット板体は、前記永久磁石平板の磁着裏平面を前記ターゲット平板のターゲット板裏平面に固定して、前記ターゲット保持板体と略同一の正方形の二層板にされることを特徴とする請求項６に記載の計測用治具である。
【００１４】
本考案に係る請求項８は、前記基礎平板の第１板端面の一部に配置される第１ガイド平板と、前記第１板端面と直交する一方の第２板端面の一部に配置される第２ガイド平板と、を備え、前記第１ガイド平板は、第１ガイド板表平面を前記金属平板の金属板表平面と直交して配置され、前記第１ガイド板表平面を前記金属平板の金属板表平面から突出して配置され、前記第１ガイド板表平面を前記第１板端面に当接して、前記基礎平板に固定され、第２ガイド平板は、第２ガイド板表平面を前記金属平板の金属板表平面と直交して配置され、前記第２ガイド板表平面を前記金属平板の金属板表平面から突出して配置され、前記第２ガイド板表平面を前記第２板端面に当接して、前記基礎平板に固定される  ことを特徴とする請求項７に記載の計測用治具である。
【００１５】
本考案に係る請求項９は、前記基礎平板の前記第１板端面と平行する第３板端面の一部に配置される第３ガイド平板と、前記第１板端面と直交する他方の第４板端面の一部に配置される第４ガイド平板と、を備え、前記第３ガイド平板は、第３ガイド板表平面を前記金属平板の金属板表平面と直交して配置され、前記第３ガイド板表平面を前記金属平板の金属板表平面から突出して配置され、前記第３ガイド板表平面を前記第３板端面に当接して、前記基礎平板に固定され、前記第４ガイド平板は、第４ガイド板表平面を前記金属平板の金属板表平面と直交して配置され、前記第４ガイド板表平面を前記金属平板の金属板表平面から突出して配置され、前記第４ガイド板表平面を前記第４板端面に当接して、前記基礎平板に固定される  ことを特徴とする請求項８に記載の計測用治具である。
【００１６】
本考案に係る請求項１０は、前記第１及び第２ガイド平板は、前記基礎平板の前記第１及び第２板端面の直交する第１角で隣接して配置され、前記第１ガイド平板は、前記第１及び第３板端面に直交して前記基礎平板の板中心を通る第１直線において、前記第１ガイド板表平面を前記第１直線及び前記第１角の間で延在して配置され、前記第２ガイド平板は、前記第２及び第４板端面と直交して前記基礎平板の板中心を通る第２直線において、前記第２ガイド板表平面を前記第２直線及び前記第１角の間で延在して配置され、前記第３及び第４ガイド平板は、前記基礎平板の前記第３及び第４板端面の直交する第２角で隣接して配置され、前記第３ガイド平板は、前記第３ガイド板表平面を前記第１直線、及び前記第２角の間で延在して配置され、前記第４ガイド平板は、前記第４ガイド板表平面を前記第２直線、及び前記第２角の間で延在して配置されることを特徴とする請求項９に記載の計測用治具である。
【考案の効果】
【００１７】
本考案に係る請求項１によれば、カバー筒部材は、一方の筒端面からネジ穴にアンカーボルトのネジ先端部を螺着することで、アンカーボルトと同心に配置されて、ターゲット保持板体と共にアンカーボルトに取付けられる。これにより、金属平板の中心印は、アンカーボルトの軸中心線と一致して配置され、及び金属平板の金属板表平面は、アンカーボルトの軸心線と直交して配置される。
ターゲット板体は、アンカーボルトに取付けたターゲット保持板体に対して、永久磁石平板の磁着裏平面を金属平板の金属板裏平面に向け、及びターゲット平板の正方形の一の角を金属平板の中心印に一致して、永久磁石平板の磁気力（磁力）によって金属平板に固定する。
これにより、ターゲット平板のガーゲット板表平面に設けた計測用ターゲットを、アンカーボルトの軸中心線に配置でき、及びアンカーボルトの軸中心線と直交して配置できる。
【００１８】
本考案の請求項２によれば、ターゲット平板は、アンカーボルトに取付けたガイド保持板体に対して、ターゲット平板の正方形の各辺である板端面を基礎平板の正方形の各辺である板端面に一致して配置することで、ターゲット平板の板中心線をアンカーボルトの軸中心線に一致して配置できる。
これにより、ターゲット平板のターゲット板表平面に設けた計測用ターゲットを、アンカーボルトの軸中心線に位置して配置できる。
【００１９】
本考案に係る請求項３によれば、ターゲット平板は、アンカーボルトに取付けたターゲット保持板体に対して、ターゲット平板の正方形の各辺であって直交する板端面を第１及び第２ガイド板平板の第１及び第２ガイド板表平面に当接して、永久磁石平板の磁着裏平面から金属平板の金属板表平面に積層（固定）することで、ターゲット平板の板中心線をアンカーボルトの軸中心線に一致して配置できる。
これにより、ターゲット平板のターゲット板表平面に設けた計測用ターゲットを、アンカーボルトの軸中心線に位置して配置できる。
【００２０】
本考案に係る請求項４によれば、ターゲット平板は、アンカーボルトに取付けたターゲット保持板体に対して、ターゲット平板の正方向形の各辺である板端面を、第１乃至第４ガイド平板の第１乃至第４ガイド板表平面に当接して、永久磁石平板の磁着裏平面から金属平板の金属板裏平面に積層（固定）することで、ターゲット平板の板中心線をアンカーボルトの軸中心線に位置して配置でき、更にターゲット平板が移動することを第１乃至第４ガイド平板にて規制できる。
【００２１】
本考案に係る請求項５によれば、ターゲット平板は、第１及び第３ガイド平板の間（又は第２及び第４ガイド平板の間）において、ターゲット平板の正方形の一の角を金属平板の中心印に一致して配置できる。
【００２２】
本考案に係る請求項６によれば、カバー筒部材は、一方の筒端面から削穴に挿入することで、削穴と同心に配置されて、ターゲット保持板体と共にコンクリート構造体（削穴）に取付けられる。これにより、金属平板の中心印は、削穴の穴中心線と一致して配置され、及び金属平板の金属板表平面は、削穴の穴中心線と直交して配置される。
ターゲット板体は、アンカーボルトに取付けたターゲット保持板体に対して、永久磁平板の磁着裏平面を金属平板の金属板表平面に向け、及びターゲット平板の正方形の一の角を金属平板の中心印に一致して、永久磁石平板の磁気力（磁力）によって金属平板に固定する。
これにより、ターゲット平板のターゲット板表平面に設けた計測用ターゲットは、削穴の穴中心線に配置でき、及び削穴の穴中心線と直交して配置できる。
【００２３】
本考案に係る請求項７によれば、ターゲット平板は、アンカーボルトに取付けたガイド保持板体に対して、ターゲット平板の正方形の各辺である板端面を基礎平板の正方形の各辺である板端面に一致して配置することで、ターゲット平板の板中心線を削穴の穴中心線に一致して配置できる。
これにより、ターゲット平板のターゲット板表平面に設けた計測用ターゲットを、削穴の穴中心線に位置して配置できる。
【００２４】
本考案に係る請求項８によれば、ターゲット平板は、アンカーボルトに取付けたターゲット保持板体に対して、ターゲット平板の正方形の各辺であって直交する板端面を第１及び第２ガイド板平板の第１及び第２ガイド板表平面に当接して、永久磁石平板の磁着裏平面から金属平板の金属板表平面に積層（固定）することで、ターゲット平板の板中心線を削穴の穴中心線に一致して配置できる。
これにより、ターゲット平板のターゲット板表平面に設けた計測用ターゲットを、削穴の穴中心線に位置して配置できる。
【００２５】
本考案に係る請求項９によれば、ターゲット平板は、アンカーボルトに取付けたターゲット保持板体に対して、ターゲット平板の正方向形の各辺である板端面を、第１乃至第４ガイド平板の第１乃至第４ガイド板表平面に当接して、永久磁石平板の磁着裏平面から金属平板の金属板裏平面に積層（固定）することで、ターゲット平板の板中心線を削穴の穴中心線に位置して配置でき、更にターゲット平板が移動することを第１乃至第４ガイド平板にて規制できる。
【００２６】
本考案に係る請求項１０によれば、ターゲット平板は、第１及び第３ガイド平板の間（又は第２及び第４ガイド平板の間）において、ターゲット平板の正方形の一の角を金属平板の中心印に一致して配置できる。
【図面の簡単な説明】
【００２７】
【図１】第１実施形態の計測用治具を示す斜視図である。
【図２】第１実施形態の計測用治具を示す上面図である。
【図３】第１実施形態の計測用治具を示す側面図である。
【図４】第１実施形態の計測用治具を示す下面図である。
【図５】図２のＡ−Ａ断面図である。
【図６】第１実施形態の計測用治具であって、ガイド筒部材、ターゲット保持板体、ターゲット板体、及び第１乃至第４ガイド平板を示す斜視図である。
【図７】第１実施形態の計測用治具であって、ターゲット保持板体、及び第１乃至第４ガイド平板を示す上面図である。
【図８】図７のＢ−Ｂ断面図である。
【図９】図７のＣ−Ｃ断面図である。
【図１０】第１及び第２実施形態の計測用治具において、ターゲット板体（ターゲット平板、永久磁石平板、計測用ターゲット）を示す上面図である。
【図１１】第１及び第２実施形態の計測用治具において、ターゲット板体（ターゲット平板、永久磁石平板、計測用ターゲット）を示す側面図である。
【図１２】コンクリート構造体、削穴、及びアンカーボルトを示す正面図である。
【図１３】図１２のＤ−Ｄ断面図である。
【図１４】第１実施形態の計測用治具をアンカーボルトに装着した図であって、ターゲット平板の一の角を金属平板の中心印（アンカーボルトの軸中心線）に一致して、ターゲット板体を金属平板に固定した正面図である。
【図１５】図１４のＥ矢視拡大図である。
【図１６】図１４のＦ−Ｆ断面図である。
【図１７】図１６のＧ矢視拡大図である。
【図１８】第１実施形態の計測用治具をアンカーボルトに装着した図であって、ターゲット平板のターゲット板中心線をアンカーボルトの軸中心線に一致して、ターゲット板体を金属平板に固定した正面図である。
【図１９】図１８のＨ−Ｈ断面図である。
【図２０】図１９のＩ矢視拡大図である。
【図２１】第２実施形態の計測用治具を示す斜視図である。
【図２２】第２実施形態の計測用治具を示す上面図である。
【図２３】第２実施形態の計測用治具を示す側面図である。
【図２４】第２実施形態の計測用治具を示す下面図である。
【図２５】図２２のＪ−Ｊ断面図である。
【図２６】第２実施形態の計測用治具であって、ガイド筒部材、ターゲット保持板体、ターゲット板体、及び第１乃至第４ガイド平板を示す斜視図である。
【図２７】第２実施形態の計測用治具であって、ガイド筒部材、及び第１乃至第４ガイド平板を示す上面図である。
【図２８】図２７のＫ−Ｋ断面図である。
【図２９】図２７のＬ−Ｌ断面図である。
【図３０】第２実施形態の計測用治具を削穴に挿入（装着）した図であって、ターゲット平板の一の角を金属平板の中心印（削穴の穴中心線）に一致して、ターゲット板体を金属平板に固定した正面図である。
【図３１】図３０のＭ矢視拡大図である。
【図３２】図３０のＮ−Ｎ断面図である。
【図３３】図３２のＯ矢視拡大図である。
【図３４】第２実施形態の計測用治具を削穴に挿入（装着）した図であって、ターゲット平板のターゲット板中心線を削穴の穴中心線に一致して、ターゲット板体を金属平板に固定した正面図である。
【図３５】図３４のＰ−Ｐ断面図である。
【図３６】図３５のＱ矢視拡大図である。
【考案を実施するための形態】
【００２８】
本考案に係る計測用治具について、図１乃至図３６を参照して説明する。
以下、第１及び第２実施形態の計測用治具について説明する。
【００２９】
＜第１実施形態＞
以下、第１実施形態の計測用治具について、図１乃至図２０を参照して説明する。
【００３０】
図１２乃至図２０において、第１実施形態の計測用治具Ｘ１は、橋台や橋脚等のコンクリート構造体Ｙに固定されるアンカーボルトＺの位置及び傾きを検査（調査）するために用いられる。
【００３１】
第１実施形態の計測用治具Ｘ１（以下、「計測用治具Ｘ１」という）は、図１乃至図２０に示すように、ガイド筒部材１、ターゲット保持板体２、ターゲット板体３、第１乃至第４ガイド平板４，５，６，７を備える。
【００３２】
ガイド筒部材１は、図１、図３乃至図６、図８及び図９に示すように、円筒状に形成される。ガイド筒部材１は、ネジ穴１１を有する。ネジ穴１１は、ガイド筒部材１の筒中心線Ａの方向ＣＵにおいて、ガイド筒部材１を貫通して形成され、ガイド筒部材１の一方の筒端面１Ａ（一方の円筒端面）及び他方の筒端面１Ｂ（他方の円筒端面）に開口される。ネジ穴１１は、ネジ穴中心線Ｂをガイド筒部材１の筒中心線Ａに一致（位置）して、ガイド筒部材１と同心に形成される。
ガイド筒部材１は、例えば、硬質塩化ビニル等の合成樹脂で形成される。
【００３３】
ターゲット保持板体２は、図１、図３乃至図９に示すように、例えば、正方形に形成される。ターゲット保持板体２は、基礎平板１３及び金属平板１４を有する。
【００３４】
基礎平板１３は、図４、図６乃至図９に示すように、例えば、正方形平板（正方形の平板）に形成される。基礎平板１３は、例えば、ガイド筒部材１と同一の材質（材料）であって、硬質塩化ビニル等の合成樹脂で形成される。
【００３５】
基礎平板１３は、図６乃至図９に示すように、板厚さ方向に一方の板表平面１３Ａ及び他方の板裏平面１３Ｂを有する。基礎平板１３は、正方形の各辺であって、第１板端面１３Ｃ、第１板端面１３Ｃと直交する一方の第２板端面１３Ｄ、第１板端面１３Ｃと平行する第３板端面１３Ｅ，及び第１板端面１３Ｃ（第３板端面１３Ｅ）と直交する他方の第４板端面１３Ｆを有する。
【００３６】
金属平板１４は、図６乃至図９に示すように、例えば、基礎平板１３と同一正方形の平板（正方形平板）に形成される。金属平板１４は、強磁性体（金属強磁性体）で形成され、例えば、鉄板、鋼板で形成される。
【００３７】
金属平板１４は、図６乃至図９に示すように、金属板厚さ方向に一方の金属板表平面１４Ａ及び他方の金属板裏平面１４Ｂを有する。金属平板１４は、正方形の各辺であって、第１金属板端面１４Ｃ、第１金属板端面１４Ｃと直交する一方の第２金属板端面１４Ｄ、第１金属板端面１４Ｃと平行する第３金属板端面１４Ｅ，及び第１金属板端面１４Ｃ（第３金属板端面１４Ｅ）と直交する他方の第４金属板端面１４Ｆを有する。
【００３８】
金属平板１４は、図６乃至図９に示すように、中心印１５（中心点印）を設けた平板である。
中心印１５は、金属平板１４の金属板厚さ方向の一方の金属板表平面１４Ａに設けられる。中心印１５は、金属平板１４の金属板中心ｄ（金属板中心線Ｄ）を示す印である。中心印１５は、金属板表平面１４Ａの金属板中心ｄに表示される。
【００３９】
ターゲット保持板体２は、図６乃至図９に示すように、金属平板１４の金属板裏平面１４Ｂを基礎平板１３の板表平面１３Ａに固定して、正方形の二層板にされる。金属平板１４は、金属板中心線Ｄ（金属板中心ｄ／中心印１５）を基礎平板の板中心線Ｃに一致（位置）して、基礎平板１３の板表平面１３Ａに積層される。金属平板１４は、第１金属板端面１４Ｃを基礎平板１３の第１板端面１３Ｃに一致し、第２金属板端面１４Ｄを基礎平板１３の第２板端面１３Ｄに一致し、第３金属板端面１４Ｅを基礎平板１３の第３板端面１３Ｅに一致し、及び第４金属板端面１４Ｆを基礎平板１３の第４板端面１３Ｆに一致して、基礎平板１３の板表平面１３Ａに積層される。
【００４０】
ターゲット保持板体２は、図６乃至図９に示すように、中心印１５（金属板中心ｄ）をガイド筒部材１の筒中心線Ａ（ネジ穴中心線Ｂ）に一致（位置）して配置される。ターゲット保持板体２は、基礎平板１３の板裏平面１３Ｂ（板表平面１３Ａ）、及び金属平板１４の金属板表平面１４Ａ（金属板裏平面１４Ｂ）をガイド筒部材１の筒中心線Ａと直交して配置される。
【００４１】
ターゲット保持板体２は、図５、図８及び図９に示すように、基礎平板１３の板裏平面１３Ｂをガイド筒部材１の他方の筒端面１Ｂに固定して配置される。基礎平板１３は、板裏平面１３Ｂをガイド筒部材１の他方の筒端面１Ｂに当接して、ガイド筒部材１に固定される。基礎平板１３は、ガイド筒部材１の他方の筒端面１Ｂを閉塞（閉鎖）して、ガイド筒部材１に固定される。
【００４２】
ターゲット板体３は、図１乃至図３、図５、図６、図１０及び図１１に示すように、正方形に形成される。ターゲット板体３は、ターゲット平板１７及び永久磁石平板１８を有する。
【００４３】
ターゲット平板１７は、基礎平板１３（ターゲット保持板体２）と略同一の正方形に形成される。ターゲット平板１７は、基礎平板１３より僅かに小さい正方形の平板（正方形平板）に形成される。ターゲット平板１７は、例えば、硬質塩化ビニル等の合成樹脂で形成される。
【００４４】
ターゲット平板１７は、図１乃至図３、図５、図６、図１０及び図１１に示すように、ターゲット板厚さ方向に一方のターゲット板表平面１７Ａ及び他方のターゲット板裏平面１７Ｂを有する。ターゲット平板１７は、正方形の各辺であって、第１ターゲット板端面１７Ｃ、第１ターゲット板端面１７Ｃと直交する一方の第２ターゲット板端面１７Ｄ、第１ターゲット板端面１７Ｃと平行する第３ターゲット板端面１７Ｅ、及び第１ターゲット板端面１７Ｃ（第３ターゲット板端面１７Ｅ）と直交する他方の第４ターゲット板端面１７Ｆを有する。
【００４５】
ターゲット平板１７は、図１乃至図３、図５、図６、図１０及び図１１に示すように、ターゲット板表平面１７Ａに計測用ターゲット１９を設けた平板である。
【００４６】
計測用ターゲット１９は、図１、図２、図６及び図１０に示すように、例えば、正方形のシートであって、シート裏面をターゲット板表平面１７Ａに貼着して、ターゲット平板１７に設けられる。計測用ターゲット１９は、シート表面に正方形枠２４、基準構成点２５（位置マーカ）、及び複数の識別構成点２６（識別マーカ）を備える。
基準構成点２５は、正方形枠２４の一の角（隅）に配置される。基準構成点２５は、例えば、ターゲット平板１７の第１及び第２ターゲット板端面１７Ｃ，１７Ｄの直交する一の角１７ａ（正方形の角）に対応して配置される。各識別構成点２６は、正方形枠２４内に配置される。基準構成点２５は、各識別構成点２６の正しい配列を認識するために用いられる。
計測用ターゲット１９は、複数種類を使用し、種類毎に識別構成点２６の配列パターンを相異させている。
【００４７】
永久磁石平板１８は、図６及び図１１に示すように、例えば、正方形の磁石平板に形成される。永久磁石平板１８は、ターゲット平板１７より小形の正方形に形成される。
永久磁石平板１８は、図６及び図１１に示すように、磁石板厚さ方向に一方の磁着表平面１８Ａ、及び他方の磁着裏平面１８Ｂを有する。
【００４８】
ターゲット板体３は、図６及び図１１に示すように、永久磁石平板１８の磁着表平面１８Ａをターゲット平板１７のターゲット板裏平面１７Ｂに固定して、正方形の二層板にされる。永久磁石平板１８は、ターゲット平板１７の内側において、ターゲット板裏平面１７Ｂに固定される。永久磁石平板１８は、磁石板中心線Ｅをターゲット平板１７のターゲット板中心線Ｆに一致（位置）して、ターゲット平板１７の内側においてターゲット板裏平面１７Ｂに積層される。
これにより、ターゲット板体３は、ターゲット保持板体２と略同一の正方形の二層板に形成される。
【００４９】
第１ガイド平板４は、図１、図２、図４、図６乃至図８に示すように、例えば、矩形状の平板（矩形状平板）に形成される。第１ガイド平板４は、基礎平板１３と同一の材質（材料）であって、硬質塩化ビニル等の合成樹脂で形成される。第１ガイド平板４は、ガイド板厚さ方向に一方の第１ガイド板表平面４Ａ、及び他方の第１ガイド板裏平面４Ｂを有する。
【００５０】
第１ガイド平板４は、基礎平板１３の第１板端面１３Ｃの一部に配置される。第１ガイド平板４は、図６及び図７に示すように、基礎平板１３の第１板端面１３Ｃ及び第３板端面１３Ｅ（第１及び第３金属板端面１４Ｃ，１４Ｅ）と直交して板中心線Ｃ（金属平板の金属板中心ｄ／中心印１５）を通る第１直線Ｌ１（第１板幅中心線）と、第１板端面１３Ｃ及び第２板端面１３Ｄ（第１及び第２金属板端面１４Ｃ，１４Ｄ）の直交する第１角１３ａ（正方形の角）の間において、第１板端面１３Ｃの一部に配置される。
【００５１】
第１ガイド平板４は、第１ガイド板表平面４Ａを金属平板１４の金属板表平面１４Ａと直交して配置される。第１ガイド平板４は、ガイド筒部材１の筒中心線Ａの方向ＣＵにおいて、第１ガイド板表平面４Ａ及び第１ガイド板裏平面４Ｂを金属平板１４の金属板表平面１４Ａから突出して配置される。
第１ガイド平板４は、第１ガイド板表平面４Ａを第１板端面１３Ｃ（第１金属板端面１４Ｃ）に当接して、基礎平板１３に固定される。第１ガイド平板４は、図６及び図７に示すように、第１ガイド板表平面４Ａ及び第１ガイド板裏平面４Ｂを第１直線Ｌ１（第１板幅中心線）及び第１角１３ａの間で延在して、第１板端面１３Ｃの一部に配置される。
第１ガイド平板４は、第１角１３ａから第１直線Ｌ１（第１板幅中心線）側に延在して、第１板端面１３Ｃに沿って基礎平板１３に固定される。
【００５２】
第２ガイド平板５は、図１乃至図８に示すように、例えば、矩形状の平板（矩形状平板）に形成される。第２ガイド平板５は、基礎平板１３と同一の材質（材料）であって、硬質塩化ビニル等の合成樹脂で形成される。第２ガイド平板５は、ガイド板厚さ方向に一方の第２ガイド板表平面５Ａ、及び他方に第２ガイド板裏平面５Ｂを有する。
【００５３】
第２ガイド平板５は、図１乃至図８に示すように、基礎平板１３の第１板端面１３Ｃと直交する一方の第２板端面１３Ｄの一部に配置される。第２ガイド平板５は、図６及び図７に示すように、基礎平板１３の第２板端面１３Ｄ及び第４板端面１３Ｆ（第２及び第４金属板端面１４Ｄ，１４Ｆ）と直交して基礎平板１３の板中心線Ｃ（金属平板１４の金属中心ｄ／中心印１５）を通る第２直線Ｌ２（第２板幅中心線）と、第１角１３ａ（正方形の角）の間において、第２板端面１３Ｄの一部に配置される。
【００５４】
第２ガイド平板５は、第２ガイド板表平面５Ａを金属平板１４の金属板表平面１４Ａと直交して配置される。第２ガイド平板５は、ガイド筒部材１の筒中心線Ａの方向ＣＵにおいて、第２ガイド板表平面５Ａ及び第２ガイド板裏平面５Ｂを金属平板１４の金属板表平面１４Ａから突出して配置される。
第２ガイド平板５は、第２ガイド板表平面５Ａを第２板端面１３Ｄ（第２金属板端面１４Ｄ）に当接して、基礎平板１３に固定される。第２ガイド平板５は、第２ガイド板表平面５Ａ及び第２ガイド板裏平面５Ｂを第２直線Ｌ２（第２板幅中心線）及び第１角１３ａの間で延在して、第１板端面１３Ｃの一部に配置される。
第２ガイド平板５は、第１角１３ａから第２直線Ｌ２（第２板幅中心線）側に延在して、第２板端面１３Ｄに沿って基礎平板１３に固定される。
これにより、第１及び第２ガイド平板４，５は、基礎平板１３の第１角１３ａで隣接して配置される。
【００５５】
第３ガイド平板６は、図１乃至図４、図６、図７及び図９に示すように、例えば、矩形状の平板（矩形状平板）に形成される。第３ガイド平板６は、基礎平板１３と同一の材質（材料）であって、硬質塩化ビニル等の合成樹脂で形成される。第３ガイド平板６は、ガイド板厚さ方向に一方の第３ガイド板表平面６Ａ、及び他方の第３ガイド板裏平面６Ｂを有する。
【００５６】
第３ガイド平板６は、図１乃至図４、図６、図７及び図９に示すように、基礎平板１３の第１板端面１３Ｃと平行する第３板端面１３Ｅの一部に配置される。第３ガイド平板６は、第１直線Ｌ１（第１板幅中心線）と、第３板端面１３Ｅ及び第４板端面１３Ｆの直交する第２角１３ｂ（正方形の角）の間において、第３板端面１３Ｅの一部に配置される。
【００５７】
第３ガイド平板６は、第３ガイド板表平面６Ａを金属平板１４の金属板表平面１４Ａと直交して配置される。第３ガイド平板６は、ガイド筒部材１の筒中心線Ａの方向ＣＵにおいて、第３ガイド板表平面６Ａ及び第３ガイド板裏平面６Ｂを金属平板１４の金属板表平面１４Ａから突出して配置される。
第３ガイド平板６は、第３ガイド板表平面６Ａを第３板端面１３Ｅ（第３金属板端面１４Ｅ）に当接して、基礎平板１３に固定される。第３ガイド平板６は、図６及び図７に示すように、第３ガイド板表平面６Ａ及び第３ガイド板裏平面６Ｂを第１直線Ｌ１（第１板幅中心線）及び第２角１３ｂの間で延在して、第３板端面１３Ｅの一部に配置される。
第３ガイド平板６は、第２角１３ｂから第１直線Ｌ１（第１板幅中心線）側に延在して、第３板端面１３Ｅに沿って基礎平板１３に固定される。
【００５８】
第４ガイド平板７は、図１、図２、図６、図７及び図９に示すように、例えば、矩形状の平板（矩形状平板）に形成される。第４ガイド平板７は、基礎平板１３と同一の材質（材料）であって、硬質塩化ビニル等の合成樹脂で形成される。第４ガイド平板７は、ガイド板厚さ方向に一方の第４ガイド板表平面７Ａ、及び他方の第４ガイド板裏平面７Ｂを有する。
【００５９】
第４ガイド平板７は、図６及び図７に示すように、基礎平板１３の第１板端面１３Ｃと直交する他方の第４板端面１３Ｆの一部に配置される。第４ガイド平板７は、第２直線Ｌ２（第２板幅中心線）と、第２角１３ｂの間において、第４板端面１３Ｆの一部に配置される。
【００６０】
第４ガイド平板７は、第４ガイド板表平面７Ａを金属平板１４の金属板表平面１４Ａと直交して配置される。第４ガイド平板７は、ガイド筒部材１の筒中心線Ａの方向ＣＵにおいて、第４ガイド板表平面７Ａ及び第４ガイド板裏平面７Ｂを金属平板１４の金属板表平面１４Ａから突出して配置される。
第４ガイド平板７は、第４ガイド板表平面７Ａを第４板端面１３Ｆ（第４金属板端面１４Ｆ）に当接して、基礎平板１３に固定される。第４ガイド平板７は、図６及び図７に示すように、第４ガイド板表平面７Ａ及び第４ガイド板裏平面７Ｂを第２直線Ｌ２（第２板幅中心線）及び第２角１３ｂの間に延在して、第４板端面１３Ｆの一部に配置される。第４ガイド平板７は、第４ガイド板表平面７Ａ及び第４ガイド板裏平面７Ｂを第２直線Ｌ２（第２板幅中心線）側に延在して、第４板端面１３Ｆに沿って基礎平板１３に固定される。
これにより、第３及び第４ガイド平板６，７は、基礎平板１３の第２角１３ｂで隣接して配置される。
【００６１】
計測用治具Ｘ１において、ターゲット板体３は、図１乃至図３、及び図５に示すように、永久磁石平板１８の磁着裏平面１８Ｂを、ターゲット保持板体２の金属平板１４の金属板表平面１４Ａに当接して配置される。計測用治具Ｘ１において、ターゲット板体３は、永久磁石平板１８の磁気力（磁力）によって、ターゲット保持板体２の金属平板１４に着脱自在に固定される。
【００６２】
計測用治具Ｘ１において、ターゲット板体３は、図５に示すように、永久磁石平板１８の磁着裏平面１８Ｂを金属平板１４の金属板表平面１４Ａに向けて、第１乃至第４ガイド平板４〜７の間に配置される。ターゲット板体３は、図１及び図２に示すように、ターゲット平板１７の第１ターゲット板端面１７Ｃを基礎平板１３の第１板端面１３Ｃ（第１金属板端面１４Ｃ）に一致（位置）し、第２ターゲット板端面１７Ｄを第２板端面１３Ｄ（第２金属板端面１４Ｄ）に一致（位置）して配置される。ターゲット板体３は、ターゲット平板１７の第３ターゲット板端面１７Ｅを第３板端面１３Ｅ（第３金属板端面１４Ｅ）に一致（位置）し、第４ターゲット板端面１７Ｆを第４板端面１３Ｆ（第４金属板端面１４Ｆ）に一致（位置）して配置される。
【００６３】
ターゲット平板１７は、第１及び第２ガイド平板４，５の内側、第３及び第４ガイド平板６，７の内側に配置されて、永久磁石平板１８の磁着裏平面１８Ｂから金属平板１４の金属板表平面１４Ａに積層（積載）される。
ターゲット平板１７は、図１乃至図３、及び図５に示すように、第１ターゲット板端面１７Ｃを第１ガイド平板４の第１ガイド板表平面４Ａに当接（摺接）し、第２ターゲット板端面１７Ｄを第２ガイド平板５の第２ガイド板表平面５Ａに当接（摺接）して、第１及び第２ガイド平板４，５の内側に配置される。ターゲット平板１７は、第３ターゲット板端面１７Ｅを第３ガイド平板６の第３ガイド板表平面６Ａに当接（摺接）し、第４ターゲット板端面１７Ｆを第４ガイド平板７の第４ガイド板表平面７Ａに当接（摺接）して、第３及び第４ガイド平板６，７の内側に配置される。
ターゲット平板１７は、永久磁石平板１８の磁気力（磁力）によって、金属平板１４の金属板表平面１４Ａに着脱自在に固定される。
これにより、ターゲット板体３は、ターゲット平板１７のターゲット板中心線Ｆを、基礎平板１３の板中心線Ｃ、金属平板１４の金属板中心線Ｄ（中心印１５／金属板中心ｄ）、及びガイド筒部材１の筒中心線Ａに一致して、基礎平板１３、金属平板１４及びガイド筒部材１と同心に配置される。
また、ターゲット板体３（ターゲット平板１７）は、第１乃至第４ガイド平板４〜７によって保持されて、ガイド筒部材１の筒中心線Ａと直交する方向に移動しない。
【００６４】
図１２乃至図２０において、計測用治具Ｘ１は、橋台や橋脚等のコンクリート構造体Ｙに固定されるアンカーボルトＺに装着されて、アンカーボルトＺの位置や傾きを検査（調査）するために用いられる。
【００６５】
アンカーボルトＺは、図１２及び図１３に示すように、コンクリート構造体Ｙの１又は複数の削穴Ｈに挿入されて、コンクリート構造体Ｙに固定される。
削穴Ｈは、図１２及び図１３に示すように、アンカーボルトＺを固定する際に、コンクリート構造体Ｙに形成され、アンカーボルトＺが挿入される。削穴Ｈは、例えば、ボーリング機械（コアー削穴機）によりコンクリート構造体Ｙに形成される。削穴Ｈは、コンクリート構造体Ｙ内の削穴底から延在されて、コンクリート構造体Ｙの外側（コンクリート構造体Ｙの外側面ＹＡ）に開口される。削穴Ｈは、必要に応じて、コンクリート構造体Ｙに複数形成される。削穴Ｈは、円形穴であって、穴直径：ｄ１を有して、コンクリート構造体Ｙに形成される。
【００６６】
１又は複数の削穴Ｈには、図１３に示すように、接着剤注入機（図示しない）により接着剤Ｂ（例えば、ゲル状のエポキシ樹脂）が注入される。
１又は複数のアンカーボルトＺは、図１２及び図１３に示すように、接着剤Ｂが注入された削穴Ｈ内に挿入されて、接着剤Ｂにてコンクリート構造体Ｙに固定される。アンカーボルトＺは、ネジ先端部ＺＡ（ネジ先端軸部）をコンクリート構造体Ｙ（外側面ＹＡ）から突出して配置される。
【００６７】
計測用治具Ｘ１は、図１４乃至図１７に示すように、アンカーボルトＺのネジ先端部ＺＡをガイド筒部材１の一方の筒端面１Ａからネジ穴１１に螺着して、アンカーボルトＺに取付けられる。
計測用治具Ｘ１は、ガイド筒部材１をアンカーボルトＺに外嵌し、及びネジ穴１１をネジ先端部ＺＡに螺着して、アンカーボルトＺのネジ先端部ＺＡに取付けられる。
計測用治具Ｘ１は、図１７に示すように、基礎平板１３の板裏平面１３Ｂがネジ先端部ＺＡに当接するまで、ガイド筒部材１のネジ穴１１をアンカーボルトＺのネジ先端部ＺＡに螺着する（以下、同様）。
これにより、計測用治具Ｘ１において、ガイド筒部材１及びターゲット保持板体２は、アンカーボルトＺに取付けられる。
【００６８】
計測用治具Ｘ１において、ガイド筒部材１は、筒中心線ＡをアンカーボルトＺの軸中心線Ｚａに一致（位置）して、アンカーボルトＺと同心に配置される。
これにより、計測用治具Ｘ１において、金属平板１４は、金属板表平面１４Ａ及び金属板裏平面１４ＢをアンカーボルトＺの軸中心線Ｚａと直交して配置される。
金属平板１４は、中心印１５（金属板中心ｄ）をアンカーボルトＺの軸中心線Ｚａに一致して配置される。
【００６９】
計測用治具Ｘ１をアンカーボルトＺに装着すると、ターゲット板体３を金属平板１４（ターゲット保持板体２）から取外して、例えば、第２及び第３ガイド平板５，６の間に配置する。
ターゲット板体３は、図１４及び図１７に示すように、アンカーボルトＺに取付けたアンカーボルトＺに対して、永久磁石平板１８の磁着裏平面１８Ｂを金属平板１４の金属板表平面１４Ａに向け、及びターゲット平板１７の一の角１７ａ（基準構成点２５）を金属平板１４の中心印１５（金属板中心ｄ）に一致（位置）して配置される。
ターゲット板体３は、磁着裏平面１８Ｂを金属平板１４の金属板表平面１４Ａに当接して、永久磁石平板１８の磁気力（磁力）によって金属平板１４に着磁（固定）される。
これにより、ターゲット平板１７（計測用ターゲット１９）は、一の角１７ａを金属平板１４の中心印１５（金属板中心ｄ）に一致して、金属平板１４（ターゲット保持板体２）に固定され、及びターゲット平板１７の一の角１７ａは、アンカーボルトＺの軸中心線Ｚａに一致して配置される。ターゲット平板１７は、ターゲット板表平面１７Ａ（計測用ターゲット１９）をアンカーボルトＺの軸中心線Ｚａと直交して配置される。
【００７０】
このように、複数の計測用治具Ｘ１は、図１４及び図１６に示すように、複数のアンカーボルトＺに装着されて、ターゲット平板１７の一の角１７ａを各アンカーボルトＺの軸中心線Ｚａ（金属平板１４の中心印１５）に一致して配置される。
なお、各アンカーボルトＺに装着される計測用治具Ｘ１は、計測用ターゲット１９の識別構成点２６の配列パターンを相異している。
【００７１】
各アンカーボルトＺに計測用治具Ｘ１を装着すると、デジタルカメラ等の撮影手段によって、各計測用治具Ｘ１の計測用ターゲット１９を撮影して、撮影した各計測用ターゲット１９の画像データから各アンカーボルトＺの位置又は傾斜を解析（検査／調査）する。
【００７２】
また、図１８乃至図２０において、計測用治具Ｘ１は、図１乃至図１１で説明したと同様に、ターゲット板体３（ターゲット平板１７）を第１乃至第４ガイド平板４〜７の内側に配置して、金属平板１４に固定したままで、各アンカーボルトＺに装着される。計測用治具Ｘ１は、図１４乃至図１７で説明したと同様に、ガイド筒部材１のネジ穴１１にアンカーボルトＺのネジ先端部ＺＡを螺着してアンカーボルトＺに装着される。
これにより、各計測用治具Ｘ１において、ターゲット平板１７（計測用ターゲット１９）は、図１８乃至図２０に示すように、ターゲット板中心線Ｆを各アンカーボルトＺの軸中心線Ｚａに一致して配置される。ターゲット平板１７は、ターゲット板表平面１７Ａ（計測用ターゲット１９）をアンカーボルトＺの軸中心線Ｚａと直交して配置される。
図１８乃至図２０において、各アンカーボルトＺに計測用治具Ｘ１を装着すると、デジタルカメラ等の撮影手段によって、各計測用治具Ｘ１の計測用ターゲット１９を撮影して、撮影した各計測用ターゲット１９の画像データから各アンカーボルトＺの位置又は傾斜を解析（検査／調査）する。
【００７３】
＜第２実施形態＞
以下、第２実施形態の計測用治具について、図２１乃至図３６を参照して説明する。
なお、図２１乃至図３６において、図１乃至図２０と同一符号は、同一部材、同一構成であるので、その詳細な説明は省略する。
【００７４】
図３０乃至図３６において、第２実施形態の計測用治具Ｘ２は、橋台や橋脚等のコンクリート構造体Ｙにアンカーボルトを固定する際に、コンクリート構造体Ｙに形成され、アンカーボルトが挿入される削穴Ｙの位置及び傾きを検査（調査）するために用いられる。
【００７５】
第２実施形態の計測用治具Ｘ２（以下、「計測用治具Ｘ２」という）は、図２１乃至図３６に示すように、ガイド筒部材５１、ターゲット保持板体２、ターゲット板体３、第１乃至第４ガイド平板４，５，６，７を備える。
【００７６】
ガイド筒部材５１は、図２１、図２３乃至図２６、図２８及び図２９に示すように、円筒状に形成される。ガイド筒部材５１は、筒中心線ａの方向ＣＤに一方の筒端面５１Ａ（一方の円筒端面）、及び他方の筒端面５１Ｂ（他方の円筒端面）を有する。ガイド筒部材５１の外直径Ｄ１（外周直径）は、削穴Ｙの穴直径ｄ１（図３２参照）より僅かに小径に形成される。ガイド筒部材５１は、例えば、硬質塩化ビニル等の合成樹脂で形成される。
【００７７】
ターゲット保持板体２は、図１乃至図１１で説明したと同様に、基礎平板１３及び金属平板１４を有する。
金属平板１４は、図２６及び図２７に示すように、中心印１５（中心点印）を設けた平板である。
【００７８】
ターゲット保持板体２は、中心印１５（金属板中心ｄ）をガイド筒部材５１の筒中心線ａに一致（位置）して配置される。ターゲット保持板体２は、基礎平板１３の板裏平面１３Ｂ（板表平面１３Ａ）、及び金属平板１４の金属板表平面１４Ａ（金属板裏平面１４Ｂ）をガイド筒部材５１の筒中心線ａと直交して配置される。
【００７９】
ターゲット保持板体２は、図２５、図２８及び図２９に示すように、基礎平板１３の板裏平面１３Ｂをガイド筒部材５１の他方の筒端面５１Ｂに当接して、ガイド筒部材５１に固定される。基礎平板１３は、ガイド筒部材５１の他方の筒端面５１Ｂを閉塞（閉鎖）して、ガイド筒部材５１に固定される。
【００８０】
ターゲット板体３は、図１乃至図１１で説明したと同様に、ターゲット平板１７及び永久磁石平板１８を有する。
ターゲット平板１７は、図２１、図２３、図２５及び図２６に示すように、ターゲット板表平面１７Ａに計測用ターゲット１９を設けた平板である。
【００８１】
第１ガイド平板４は、図１乃至図１１で説明したと同様に、基礎平板１３の第１板端面１３Ｃの一部に配置されて、基礎平板１３に固定される（図２１、図２２、図２４、図２６乃至図２８参照）。
【００８２】
第２ガイド平板５は、図１乃至図１１で説明したと同様に、基礎平板１３の第２板端面１３Ｄの一部に配置されて、基礎平板１３に固定される（図２１乃至図２４、及び図２６乃至図２８参照）。
【００８３】
第３ガイド平板６は、図１乃至図１１で説明したと同様に、基礎平板１３の第３板端面１３Ｅの一部に配置されて、基礎平板１３に固定される（図２１乃至図２４、図２６、図２７及び図２９参照）。
【００８４】
第４ガイド平板７は、図１乃至図１１で説明したと同様に、基礎平板１３の第４板端面１３Ｆの一部に配置されて、基礎平板１３に固定される（図２１、図２２、）図２４、図２６、図２７及び図２９参照）。
【００８５】
計測用治具Ｘ２において、ターゲット板体３は、図２３及び図２５に示すように、永久磁石平板１８の磁着裏平面１８Ｂを、ターゲット保持板体２の金属平板１４の金属板表平面１４Ａに当接して配置される。計測用治具Ｘ２において、ターゲット板体３は、永久磁石平板１８の磁気力（磁力）によって、ターゲット保持板体２の金属平板１４に着脱自在に固定される。
【００８６】
計測用治具Ｘ２において、ターゲット板体３は、図２３、図２５及び図２６に示すように、永久磁石平板１８の磁着裏平面１８Ｂを金属平板１４の金属板表平面１４Ａに向けて、第１乃至第４ガイド平板４〜７の間に配置される。計測用治具Ｘ２において、ターゲット板体３は、図１乃至図１１で説明したと同様に、第１乃至第４ターゲット板端面１７Ｃ〜１７Ｆを、基礎平板１３の第１乃至第４板端面１３Ｃ〜１３Ｆ（第１乃至第４金属板端面１４Ｃ〜１４Ｆ）の夫々に一致（位置）して配置される（図２１乃至図２５参照）。
【００８７】
計測用治具Ｘ２において、ターゲット平板１７は、第１及び第２ガイド平板４，５の内側、第３及び第４ガイド平板６，７の内側に配置されて、永久磁石平板１８の磁着裏平面１８Ｂから金属平板１４の金属板表平面１４Ａに積層（積載）される。
計測用治具Ｘ２において、ターゲット平板１７は、図１乃至図１１で説明したと同様に、第１乃至第４ターゲット板端面１７Ｃ〜１７Ｆを、第１乃至第４ガイド平板４〜７の第１乃至第４ガイド板表平面４Ａ〜７Ａの夫々に当接（摺接）して、第１乃至第４ガイド平板４〜７の内側に配置される（図２１乃至図２５参照）。
計測用治具Ｘ２において、ターゲット平板１７は、永久磁石平板１８の磁気力（磁力）によって、金属平板１４の金属板表平面１４Ａに着脱自在に固定される。
これにより、計測用治具Ｘ２において、ターゲット平板１７は、ターゲット平板１７のターゲット板中心線Ｆを、基礎平板１３の板中心線Ｃ、金属平板１４の金属板中心線Ｄ（中心印１５／金属板中心ｄ）、及びガイド筒部材５１の筒中心線ａに一致して、基礎平板１３、金属平板１４及びガイド筒部材５１と同心に配置される（図２１乃至図２６参照）。
また、計測用治具Ｘ２において、ターゲット板体３（ターゲット平板１７）は、第１乃至第４ガイド平板４〜７によって保持されて、ガイド筒部材５１の筒中心線ａと直交する方向に移動しない。
【００８８】
図３０乃至図３６において、計測用治具Ｘ２は、橋台や橋脚等のコンクリート構造体Ｙにアンカーボルトを固定する際に、コンクリート構造体Ｙに形成され、アンカーボルトが挿入される削穴Ｈの位置及び傾きを検査（調査）するために用いられる。
計測用治具Ｘ２は、図３０乃至図３３に示すように、ガイド筒部材５１を削穴Ｈに挿入して、コンクリート構造体Ｙに装着（配置）される。
ガイド筒部材５１は、一方の筒端面５１Ａから削穴に挿入される。ガイド筒部材５１は、筒中心線ａを削穴Ｈの穴中心線ｈに一致（一致）して、削穴Ｈと同心に配置される。ガイド筒部材５１は、外側筒面５１Ｃを削穴Ｈに当接（摺接）して、削穴Ｈに挿入される。
計測用治具Ｘ２は、図３３に示すように、基礎平板１３の板裏平面１３Ｂがコンクリート構造体Ｙの外側面ＹＡに当接するまで、ガイド筒部材５１を削穴Ｈに挿入する（以下、同様）。
これにより、計測用治具Ｘ２において、ガイド筒部材５１及びターゲット保持板体２は、コンクリート構造体Ｙ（削穴Ｈ）に取付けられる。計測用治具Ｘ２において、金属平板１４は、金属板表平面１４Ａ及び金属板裏平面１４Ｂを削穴Ｈの穴中心線ｈと直交して配置される。
金属平板１４は、中心印１５（金属板中心ｄ）を削穴Ｈの穴中心線ｈに一致して配置される。
【００８９】
計測用治具Ｘ２を削穴Ｈに挿入すると、ターゲット板体３を金属平板１４（ターゲット保持板体２）から取外して、例えば、第２及び第３ガイド平板５，６の間に配置する。
計測用治具Ｘ２において、ターゲット板体３は、図３０乃至図３３に示すように、コンクリート構造体Ｙ（削穴Ｈ）に取付けたターゲット保持板体２に対して、永久磁石平板１８の磁着裏平面１８Ｂを金属平板１４の金属板表平面１４Ａに向け、及びターゲット平板１７の一の角１７ａ（基準構成点２５）を金属平板１４の中心印１５（金属板中心ｄ）に一致（位置）して配置される。
計測用治具Ｘ２において、ターゲット板体３は、磁着裏平面１８Ｂを金属平板１４の金属板表平面１４Ａに当接して、永久磁石平板１８の磁気力（磁力）にて金属平板１４に着磁（固定）される。
これにより、計測用治具Ｘ２において、ターゲット平板１７（計測用ターゲット１９）は、図３０乃至図３３に示すように、一の角１７ａを金属平板１４の中心印１５（金属板中心ｄ）に一致して、金属平板１４（ターゲット保持板体２）に固定され、及びターゲット平板１７の一の角１７ａは、削穴Ｈの穴中心線ｈに一致して配置される。ターゲット平板１７は、ターゲット板表平面１７Ａ（計測用ターゲット１９）を削穴Ｈの穴中心線ｈと直交して配置される。
【００９０】
このように、複数の計測用治具Ｘ２は、複数の削穴Ｈに挿入されて、ターゲット平板１７の一の角１７ａを各削穴Ｈの穴中心線ｈ（金属平板１４の中心印１５）に一致して配置される。
なお、各削穴Ｈの挿入される計測用治具Ｘ２は、計測用ターゲット１９の識別構成点２６の配列パターンを相異している。
【００９１】
各削穴Ｈに計測用治具Ｘ２に挿入（装着）すると、デジタルカメラ等の撮影手段によって、各計測用治具Ｘ２の計測用ターゲット１９を撮影して、撮影した各計測用ターゲット１９の画像データから各アンカーボルトＺの位置又は傾斜を解析（検査／調査）する。
【００９２】
また、図３４乃至図３６において、計測治具Ｘ２は、図２１乃至図２５（図１乃至図１１）で説明したと同様に、ターゲット板体３（ターゲット平板１７）を第１乃至第４ガイド平板４〜７の内側に配置して、金属平板１４に固定したままで、各削穴Ｈに挿入される。計測用治具Ｘ２は、図３０乃至図３３で説明したと同様に、ガイド筒部材５１を削穴Ｈに挿入して、コンクリート構造体Ｙに装着される。
これにより、計測用治具Ｘ２において、ターゲット平板１７（計測用ターゲット１９）は、図３４乃至図３６に示すように、ターゲット板中心線Ｆを各削穴Ｈの穴中心線ｈに一致して配置される。ターゲット平板１７は、ターゲット板表平面１７Ａ（計測用ターゲット１９）を削穴Ｈの穴中心線ｈと直交して配置される。
図３４乃至図３６において、各削穴Ｈに計測用治具Ｘ２を装着すると、デジタルカメラ等の撮影手段によって、各計測用治具Ｘ２の計測用ターゲット１９を撮影して、撮影した各計測用ターゲット１９の画像データから各削穴Ｈの位置及び傾きを解析（検査／調査）する。
【産業上の利用可能性】
【００９３】
本考案は、橋台や橋脚等のコンクリート構造体に固定されるアンカーボルト、又はコンクリート構造体に形成される削穴の位置及び傾きを検査（調査）するのに最適である。
【符号の説明】
【００９４】
Ｘ１  計測用治具
１  ガイド筒部材
２  ターゲット保持板体
３  ターゲット板体
４  第１ガイド平板
５  第２ガイド平板
６  第３ガイド平板
７  第４ガイド平板
１１  ネジ穴
１３  基礎平板
１３Ａ  板表平面
１３Ｂ  板裏平面
１４  金属平板
１４Ａ  金属板表平面
１４Ｂ  金属板裏平面
１５  中心印
１７  ターゲット平板
１７Ａ  ターゲット板表平面
１７Ｂ  ターゲット板裏平面
１８  永久磁石平板
１８Ａ  磁着表平面
１８Ｂ  磁着裏平面
【図１】
0003219614.tif 000003
【図２】
0003219614.tif 000004
【図３】
0003219614.tif 000005
【図４】
0003219614.tif 000006
【図５】
0003219614.tif 000007
【図６】
0003219614.tif 000008
【図７】
0003219614.tif 000009
【図８】
0003219614.tif 000010
【図９】
0003219614.tif 000011
【図１０】
0003219614.tif 000012
【図１１】
0003219614.tif 000013
【図１２】
0003219614.tif 000014
【図１３】
0003219614.tif 000015
【図１４】
0003219614.tif 000016
【図１５】
0003219614.tif 000017
【図１６】
0003219614.tif 000018
【図１７】
0003219614.tif 000019
【図１８】
0003219614.tif 000020
【図１９】
0003219614.tif 000021
【図２０】
0003219614.tif 000022
【図２１】
0003219614.tif 000023
【図２２】
0003219614.tif 000024
【図２３】
0003219614.tif 000025
【図２４】
0003219614.tif 000026
【図２５】
0003219614.tif 000027
【図２６】
0003219614.tif 000028
【図２７】
0003219614.tif 000029
【図２８】
0003219614.tif 000030
【図２９】
0003219614.tif 000031
【図３０】
0003219614.tif 000032
【図３１】
0003219614.tif 000033
【図３２】
0003219614.tif 000034
【図３３】
0003219614.tif 000035
【図３４】
0003219614.tif 000036
【図３５】
0003219614.tif 000037
【図３６】
0003219614.tif 000038